(57)【要約】【課題】簡単な部品の追加でラジオ信号を聴取できると共に、使用の便利性を高めるためのキー入力回路を有するラジオ付き電子レンジ及びそれを用いたラジオ聴取方法を提供する。【解決手段】料理を制御するための電子レンジ駆動用モジュール１０と、電子レンジ駆動用モジュール１０の制御を受けてラジオ信号を受信するラジオモジュール２０，３０とを含んでラジオ付き電子レンジを構成する。ラジオモジュール２０，３０は、高周波のラジオ信号を受信するアンテナ２１と、駆動用モジュール１０の制御下でＰＬＬ方式によってユーザが選択したチャネルの周波数に受信信号をチューニングして生成された発振周波数に基づいて受信信号を中間周波数信号に変換するＰＬＬ回路２０と、上記の中間周波数信号から所望の帯域の信号を増幅、加工処理して出力するラジオ受信部３０と、を含んで構成される。【選択図】　　　図２
2004037069.tif 000002
【特許請求の範囲】
【請求項１】
料理を制御するための電子レンジ駆動用モジュールと、
前記電子レンジ駆動用モジュールの制御を受けてラジオ信号を受信するラジオモジュールと、
を含んで構成されるラジオ付き電子レンジ。
【請求項２】
前記電子レンジ駆動用モジュールと前記ラジオモジュールは選択的に動作することを特徴とする請求項１に記載のラジオ付き電子レンジ。
【請求項３】
前記ラジオモジュールは、
ユーザが選択したチャネルに相当する周波数へのチューニングのための周波数チューニング部と、
前記受信するラジオ信号の周波数を数値化するためのカウンタと、
を含むことを特徴とする請求項１に記載のラジオ付き電子レンジ。
【請求項４】
前記周波数チューニング部はＰＬＬ方式を用いて前記ユーザが選択したチャネルに相当する所望の周波数にチューニングすることを特徴とする請求項３に記載のラジオ付き電子レンジ。
【請求項５】
前記周波数チューニング部は、
第１外部制御信号に従って前記ユーザが選択したチャネルに相当する所望の周波数へのチューニングのための基準周波数を発振する基準周波数発振器と、
第２外部制御信号に従い、局部発振周波数として入力された発振周波数を分割するディバイダと、
前記ディバイダの出力と前記基準周波数発振器の出力との位相を比較する位相比較器と、
前記ディバイダの出力と基準周波数発振器の出力との間の位相差に相当する電圧を出力するローパスフィルタと、
前記ローパスフィルタの出力電圧に相当する前記発振周波数の信号を出力する電圧調整部と、
前記電圧調整部から出力された発振周波数の信号を用いて、前記受信するラジオ信号を中間周波数の信号に変換するミクサと、
を含むことを特徴とする請求項３に記載のラジオ付き電子レンジ。
【請求項６】
前記基準周波数発振器及び前記ディバイダは前記第１外部制御信号及び第２外部制御信号に従って動作が開始されることを特徴とする請求項５に記載のラジオ付き電子レンジ。
【請求項７】
前記第１，第２外部制御信号は前記電子レンジ駆動用モジュールから印加されることを特徴とする請求項６に記載のラジオ付き電子レンジ。
【請求項８】
前記基準周波数発振器及び前記ディバイダは、それぞれ、前記第１外部制御信号及び第２外部制御信号に従って前記所望の周波数に前記受信するラジオ信号をチューニングするための前記基準周波数の信号を発振し、前記電圧調整部の発振周波数を前記基準周波数の信号と位相比較するための信号の周波数に分割することを特徴とする請求項５に記載のラジオ付き電子レンジ。
【請求項９】
前記第１，第２外部制御信号は前記電子レンジ駆動用モジュールから印加されることを特徴とする請求項８に記載のラジオ付き電子レンジ。
【請求項１０】
前記ディバイダの出力と、前記基準周波数発振器の出力とが一致するまで前記ディバイダ、基準周波数発振器、位相比較器、ローパスフィルタ、及び電圧調整部の動作が繰り返して行われることを特徴とする請求項５に記載のラジオ付き電子レンジ。
【請求項１１】
前記ラジオモジュールは、
前記周波数チューニング部の出力の所望の帯域の信号を増幅する中間周波回路と、
前記中間周波回路の出力をステレオ音声に変換して出力するマルチプレクサ回路と、
前記マルチプレクサ回路を増幅して出力するスピーカと、
を更に含むことを特徴とする請求項３に記載のラジオ付き電子レンジ。
【請求項１２】
前記電子レンジ駆動用モジュールは、前記中間周波回路及び前記マルチプレクサ回路からの出力が入力されて該出力間の比較を行い、該比較の結果及び、ユーザにより選択されたチャネルに該当する周波数に従って、前記ラジオモジュールを制御することを特徴とする請求項１１に記載のラジオ付き電子レンジ。
【請求項１３】
前記電子レンジ駆動用モジュールは、
前記電子レンジ駆動用モジュールと、前記ラジオモジュールとを選択的に駆動するように該電子レンジ駆動用モジュールとラジオモジュールを制御し、前記ラジオモジュールの使用についての周波数選択情報を生成するマイクロコンピュータと、
前記周波数選択情報を格納するための記憶部と、
を含んで構成されることを特徴とする請求項１に記載のラジオ付き電子レンジ。
【請求項１４】
前記記憶部はＥＥＰＲＯＭにより実現されることを特徴とする請求項１３に記載のラジオ付き電子レンジ。
【請求項１５】
前記周波数選択情報はユーザ設定による所定の個数の周波数候補群、最近使われた周波数、選択頻度数による所定の個数の周波数候補群の中の少なくとも一つであることを特徴とする請求項１３に記載のラジオ付き電子レンジ。
【請求項１６】
前記電子レンジ駆動用モジュールは、
前記マイクロコンピュータに接続された入力手段であって、前記電子レンジ駆動用モジュール及び前記ラジオモジュールの動作のためのデータを入力するための入力手段と、
前記マイクロコンピュータに連結された表示手段であって、前記マイクロコンピュータの制御に従って前記電子レンジ駆動用モジュール及び前記ラジオモジュールの動作状態を表示するための表示手段と、
を更に含むことを特徴とする請求項１３に記載のラジオ付き電子レンジ。
【請求項１７】
前記入力手段は、
前記料理を作るための多数の入力キーと、
前記ラジオモジュールの初期動作時に前記周波数選択情報に従う周波数候補の中の一つを選択するためのプリセットキーと、
聴取したいチャネルに相当する周波数を微細に調節するためのチューニングキーと、
前記聴取したいチャネルに相当する周波数を大まかに調節するための帯域キーと、
ユーザ選択による周波数選択情報を前記記憶部に格納するためのメモリキーと、
を含んで構成されることを特徴とする請求項１６に記載のラジオ付き電子レンジ。
【請求項１８】
前記入力手段は、
前記ラジオモジュールをオン／オフさせるためのラジオオン／オフキーと、
前記ラジオモジュールの駆動時に、ボリュームを調節するためのボリュームキーと、を更に含むことを特徴とする請求項１６に記載のラジオ付き電子レンジ。
【請求項１９】
前記表示手段は、
前記ラジオモジュールの初期動作時に、前記周波数選択情報に従う周波数候補群を順次に及び／又は同時に表示することを特徴とする請求項１６に記載のラジオ付き電子レンジ。
【請求項２０】
前記電子レンジ駆動用モジュールは、
前記マイクロコンピュータに接続され、前記ラジオ付き電子レンジの駆動電圧を供給する電源部と、
前記電子レンジ駆動用モジュールの動作のために前記電源部を接続／遮断するリレー駆動部と、
を更に含むことを特徴とする請求項１３に記載のラジオ付き電子レンジ。
【請求項２１】
前記ラジオモジュールと前記マイクロコンピュータはシリアル通信を行うことを特徴とする請求項１３に記載のラジオ付き電子レンジ。
【請求項２２】
料理制御機能を備えた電子レンジであって、
ラジオ動作信号を入力するための入力手段と、
前記入力手段からの信号に従うラジオ動作状態を表示するための表示手段と、
ユーザが選択したラジオチャネルの信号を雑音なく受信できるようにＰＬＬ方式を用いてチューニングするラジオモジュールと、
前記電子レンジを制御し、前記入力手段からの信号に従って前記ラジオモジュールを制御し、前記ラジオモジュールからの信号が前記表示手段に表示されるように該表示手段を制御し、前記入力手段からの信号をモニタして周波数選択情報を生成するマイクロコンピュータと、
前記周波数選択情報を格納するＥＥＰＲＯＭと、
を含んで構成されることを特徴とするラジオ付き電子レンジ。
【請求項２３】
ラジオ機能及び料理機能が同時に実現されるラジオ付き電子レンジの運用方法であって、
前記ラジオ機能及び前記料理機能の中の何れか一つの機能を選択する段階と、
前記ラジオ機能選択時に、既格納された周波数選択情報をアップロードして、所定の方式に従って表示する段階と、
前記表示した周波数選択情報の中の何れか一つの周波数を選択する段階と、
前記選択された周波数にチューニングして、所望のラジオ放送を聴取する段階と、
を備えていることを特徴とするラジオ付き電子レンジの運用方法。
【請求項２４】
前記周波数を選択する段階を継続的にモニタする段階と、
前記モニタの結果を参照して、最後に用いられた周波数又は選択頻度数の高い所定の個数の周波数候補群を前記周波数選択情報として生成する段階と、
を更に備えることを特徴とする請求項２３に記載のラジオ付き電子レンジの運用方法。
【請求項２５】
前記所定の方式は、
最も最近選択された周波数を表示するか、或いは選択頻度数の高い所定の個数の周波数候補群を順次表示するかの何れか一方を表示する方式である請求項２３に記載のラジオ付き電子レンジの運用方法。
【発明の詳細な説明】
【０００１】
【発明の属する技術分野】
本発明はラジオ付き電子レンジに関し、特に電子レンジにラジオ機能を付加してラジオ放送の聴取が可能であるようにしたラジオ付き電子レンジ及びそれを用いたラジオ聴取方法に関する。
【０００２】
【従来の技術】
電子レンジはマイクロウェーブとヒータ熱を用いて簡単かつ迅速に調理が可能な調理機器である。最近技術の発達によって電子レンジに備えられている電気的な素子の容量が増大し、この素子を制御する機能も次第に向上している。更に、電子レンジの使用頻度が高くなるに伴い、電子レンジは単純に料理の機能を有するだけでなく、多様な方面で用いられ得ることが要求されている。
しなしながら、従来の電子レンジは単純に料理を作るための調理機器のみとして構成されている。
【０００３】
図１は従来技術による電子レンジの構成図を示すものである。
図１に示すように、電子レンジは料理のための熱又はマイクロウェーブを発生させるマグネトロン、ヒータなどから構成された駆動部１２０と、この駆動部１２０を制御するための制御部１１０と、料理モードを選択するか入力する信号入力部１００と、現在の料理の進行状態及びユーザが入力する状態などを表示する表示部１３０と、そして、アラーム信号のようにユーザが認識できる音声信号を出力する音声出力部１４０、などから成っている。
【０００４】
上記のような構成を有する電子レンジは、単純に所望の料理を選択し、料理の状態を制御して、その料理を作るための構成のみからなっている。従って、このような電子レンジは単純に調理機器としての用途以外には利用されていなかった。
【０００５】
【発明が解決しようとする課題】
従来の電子レンジの構成は次のような問題点を有する。
第一に、グローバル化の趨勢に応じたマルチメディアの機能を備えておらず、ユーザの要求を満足させることができなかった。
第二に、最近、技術の発達によって電子レンジに使用されている各種の電気的な部品はその容量が大きくなり、また早い処理速度を有して高性能化しているにも拘わらず、電子レンジを単純に料理のための調理機器としてのみ使用していたため、製品内に備えられている各種の電気的な部品の活用度が低くなっていた。このことが高性能や高価な製造費用にふさわしい製品の機能が備えられない原因となっていた。
【０００６】
そこで、本発明の目的は、簡単な部品の追加でラジオ信号を聴取することができるラジオ付き電子レンジ及びその運用方法を提供することにある。
【０００７】
本発明の他の目的は、ラジオ信号を受信することのできる電子レンジであって、使用の便利性を高めるためのキー入力回路を有するラジオ付き電子レンジ及びその運用方法を提供することにある。
【０００８】
【課題を解決するための手段】
上記の目的を達成するための本発明によるラジオ付き電子レンジは、料理を制御するための電子レンジ駆動用モジュールと、前記電子レンジ駆動用モジュールの制御を受けてラジオ信号を受信するラジオモジュールとを含んで構成されている。
【０００９】
本発明の他の特徴によれば、前記ラジオ付き電子レンジは、料理制御機能を備えた電子レンジであって、ラジオ動作信号を入力するための入力手段と、前記入力手段からの信号によりラジオ動作状態を表示するための表示手段と、ユーザが選択したラジオチャネルの信号を雑音なく受信できるようにＰＬＬ方式を用いてチューニングするラジオモジュールと、前記電子レンジを制御し、前記入力手段からの信号に従って前記ラジオモジュールを制御し、前記ラジオモジュールからの信号が前記表示手段に表示されるように前記表示手段を制御し、前記入力手段からの信号をモニタして周波数選択情報を生成するマイクロコンピュータと、前記周波数選択情報を格納するＥＥＰＲＯＭと、を含んで構成されている。
【００１０】
本発明のまた他の特徴によれば、ラジオ機能及び料理機能が同時に実現された電子レンジの運用方法は、前記ラジオ機能及び前記料理機能のうちの何れか一方の機能を選択する段階と、前記ラジオ機能選択時に、既格納された周波数選択情報をアップロードして、所定の方式に従って表示する段階と、前記表示した周波数情報のうちの何れか一つの周波数を選択する段階と、前記選択された周波数にチューニングして、所望のラジオ放送を聴取する段階と、を備えている。
【００１１】
【発明の実施の形態】
以下、添付の図面に基づいて本発明によるラジオ付き電子レンジについて詳細に説明する。
【００１２】
図２は本発明によるラジオ付き電子レンジの構成図を示すものである。
図２に示すように、本発明の実施形態によるラジオ付き電子レンジは、ラジオ機能の制御のためのラジオモジュール２０，３０と、電子レンジの駆動用モジュール１０とを備えている。
ラジオモジュール２０，３０は、電子レンジの駆動用モジュール１０の制御を受ける。ラジオモジュール２０，３０は、高周波のラジオ信号を受信するアンテナ２１と、駆動用モジュール１０の制御下でＰＬＬ（Ｐｈａｓｅ　Ｌｏｃｋｅｄ　Ｌｏｏｐ　）方式によって受信したラジオ信号をユーザが選択したチャネルの周波数にチューニングするために生成された発振周波数（局部発振周波数）に基づいて上記の受信したラジオ信号を中間周波数信号に変換するＰＬＬ回路２０と、上記の中間周波数信号から所望の帯域の信号を増幅し、この増幅した信号を加工処理して出力するラジオ受信部３０とを含んで構成されている。
【００１３】
上記のラジオ付き電子レンジはラジオ受信部３０の出力信号をユーザが認識できる大きさに増幅して出力するスピーカ２９を更に含んで構成されている。
【００１４】
電子レンジの駆動用モジュール１０は、電子レンジで料理を行うときに、マグネトロン、ヒータ、ファンモータなどを駆動するためのリレー駆動部２と、ユーザ選択信号を入力する信号入力部のダイアル入力回路（ｄｉａｌ　ｉｎｐｕｔ　ｃｉｒｃｕｉｔ）３とキー入力回路５と、電子レンジの現在の動作状態及びユーザが入力する信号などを表示する表示装置１と、ラジオモジュール２０，３０に連結され、ラジオモジュール２０，３０がユーザの所望するラジオ局のラジオ信号を雑音なく受信できるようにラジオモジュール２０，３０を制御すると共に、自動料理モード又は手動料理モードのようなメニュー選択、及びその選択されたメニューによって自動又は手動で設定された時間、温度、進行状態などを制御するマイクロコンピュータ７と、を含んで構成されている。
【００１５】
電子レンジの駆動用モジュール１０は電子レンジ駆動用モジュール１０の各ブロックに電源を供給するための電源回路４を更に含んで構成されている。
【００１６】
ダイアル入力回路３は、ダイアルの回転量に従って入力信号が変化するものであって、一般的に自動料理のためのメニュー、時間及び温度などの入力のために用いられる。
【００１７】
キー入力回路５は、電子レンジの外部ケースに備えられた各種のキー信号を選択し、選択したキー信号に相当するコードをマイクロコンピュータ７へ伝送する機能を行う。
【００１８】
ダイアル入力回路３及びキー入力回路５は、ラジオ付き電子レンジのラジオ機能を用いるとき、チャネル選局のための入力手段としても用いられる。
従って、ダイアル入力回路３とキー入力回路５にはラジオチャネルを選択するためのボタンを備えていなければならない。
【００１９】
リレー駆動部２は、電子レンジを用いて料理を作るときに必要とするマイクロウェーブを発生させるマグネトロン（図示せず）及び、熱を発生させるヒータへの電源を接続／遮断するリレー（図示せず）からなっている。
そして、冷却及び加熱動作時に発生する気体を庫内に循環させるファンモータへの電源を接続／遮断するリレー（図示せず）を更に含んで構成されている。
【００２０】
マイクロコンピュータ７は、電子レンジの料理動作を制御するために図２に示された各ブロックを制御する。このために、マイクロコンピュータ７は上記料理制御のために必要な制御アルゴリズムをメモリに格納している。特に、各料理メニューに対する制御過程、動作温度、動作時間などの制御プロセスに従った制御アルゴリズムを格納している。
【００２１】
マイクロコンピュータ７はラジオ機能を制御するためにも用いられる。即ち、マイクロコンピュータ７は、後述するラジオ受信部３０が現在受信している放送チャネルの周波数を認識し、ユーザが選択した放送チャネルの周波数と一致しているか否かを確認する。もし、一致していなければ、マイクロコンピュータ７は後述するＰＬＬ回路２０を繰り返し制御して、現在受信している放送チャネルの周波数がユーザが選択した放送チャネルの周波数にチューニングされるようにする。従って、マイクロコンピュータ７は、ラジオ機能制御のための制御アルゴリズムを備えなければならない。
【００２２】
表示装置１は、マイクロコンピュータ７から信号を印加され、電子レンジの機能遂行中に料理進行の状態、選択された料理モードなどの表示を行う。しかしながら、ラジオ機能遂行中には上記のチューニング動作に従う現在の入力周波数、最終的に確定された周波数など、ラジオ機能の遂行過程でユーザが選択するチャネルの周波数を表示する。
【００２３】
ＰＬＬ回路２０は、マイクロコンピュータ７の内部のシリアルポート（ｓｅｒｉａｌｐｏｒｔ　）に接続されている。これは、ＰＬＬ回路２０内の素子がシリアル方式で実行されるので、ＰＬＬ回路２０に入力されるデータはシリアルデータであるためである。
ＰＬＬ回路２０は、ＰＬＬ方式によってチューニング動作を行うための要素であって、マイクロコンピュータ７から制御信号を受けて受信するチャネルの周波数をユーザが選択したチャネルの周波数にチューニングすることができるようにする。
【００２４】
このためにＰＬＬ回路２０は、マイクロコンピュータ７の制御に従って受信する放送チャネルの周波数をユーザが選択したチャネルに相当する所望の周波数にチューニングするための基準周波数の信号を発生させる基準周波数発振器９と、マイクロコンピュータ７の制御に従って電圧調整部１９から入力された信号の周波数を、上記の基準周波数の信号と位相比較するための信号の周波数に分割するディバイダ（ｄｉｖｉｄｅｒ）１３と、ディバイダ１３から出力される周波数の信号と基準周波数発振器９により発生する基準周波数の信号との位相を比較する位相比較器１１と、上記の２つの周波数の信号間の位相差に相当する直流電圧を出力するローパスフィルタ１７と、そのローパスフィルタ１７からの直流電圧に従った発振周波数（ｆ０）、即ち、マイクロコンピュータ７からのチューニングデータにより決定された局部発振周波数（ｆ０）の信号を出力する電圧調整部１９と、上記の発振周波数（ｆ０）の信号とアンテナ２１により受信されたラジオ信号をミキシングして、受信したラジオ信号を中間周波数信号に変換するミクサ（ｍｉｘｅｒ　）２３と、を含んで構成され、またラジオ受信部３０は、ミクサ２３からの出力信号から所望の帯域の信号を増幅して出力する中間周波回路（ｉｎｔｅｒｍｅｄｉａｔｅ　ｆｒｅｑｕｅｎｃｙ　ｃｉｒｃｕｉｔ：ＩＦ回路）２５と、中間周波回路２５の出力をステレオ音声に変換してスピーカ２９で出力するマルチプレクサ回路２７と、を含んで構成されている。
【００２５】
電圧調整部１９の出力はディバイダ１３にフィードバックされ、このような動作は上記の発振周波数（ｆ０）が選局されたチャネルの周波数に正確にチューニングされるまでに繰り返され、このような繰り返し動作をマイクロコンピュータ７が制御する。この制御のためにマイクロコンピュータ７は中間周波回路２５及びマルチプレクサ回路２７からの入力信号を認識し、分析を行う。この認識及び分析の結果に応じて、マイクロコンピュータ７は、ディバイダ１３及び基準周波数発振器９にそれぞれ第２及び第１外部制御信号を印加する。例えば、マイクロコンピュータ７はディバイダ１３が電圧調整部１９からの入力信号の周波数を基準周波数発振器９の基準周波数の信号と位相比較するための信号の周波数に分割するように制御し、また基準周波数発振器９が所定の基準周波数を発振するように制御する。また、マイクロコンピュータ７はディバイダ１３及び基準周波数発振器９の動作のスタートと停止を制御する。
【００２６】
ＰＬＬ回路２０は、ユニバーサルカウンタ１５を更に含んで構成されている。ユニバーサルカウンタ１５は、中間周波回路２５から出力される中間周波数信号をカウントし、その結果をマイクロコンピュータ７に出力する。マイクロコンピュータ７は、ユニバーサルカウンタ１５の出力信号を表示装置１に表示させる。
【００２７】
上記のように構成するために、電子レンジ駆動用モジュール１０の内部のマイクロコンピュータ７は、内部のシリアルポートを通じてＰＬＬ回路２０内のディバイダ１３と基準周波数発振器９とに接続されている。そして、マイクロコンピュータ７は、ＰＬＬ回路２０内のユニバーサルカウンタ１５の出力信号を入力するために、ユニバーサルカウンタ１５と接続されている。また、マイクロコンピュータ７は、ラジオ受信部３０の内部の中間周波回路２５の出力端子と接続され、更にマルチプレクサ回路２７の出力端子とも接続されている。
【００２８】
次に、上記の構成からなる本発明によるラジオ付き電子レンジの動作過程について述べる。
【００２９】
まず、電子レンジの料理のための動作過程を説明する。
電子レンジに電源が入力されると、電源回路４を通じてマイクロコンピュータ７に電源が供給される。電源回路４から供給される電源は、ラジオモジュール２０，３０と電子レンジ駆動用モジュール１０全体に共有して使用される。
電子レンジの内部に電源が供給されている状態で、ユーザがダイアル入力回路３又はキー入力回路５によって料理モードを選択する。この選択された料理モードはマイクロコンピュータ７に入力される。
【００３０】
マイクロコンピュータ７は、選択された料理が行われ得るように電子レンジ駆動用モジュール１０の各要素を制御する。
選択された料理が自動料理である場合には、マイクロコンピュータ７は選択された料理モードに相当する既設定された制御アルゴリズムを認識した後、該当する駆動装置（一例として、マグネトロン又はヒータ）を駆動させるために、リレー駆動部２に制御信号を印加し、また、現在進行している料理状態を表示装置１が表示するように表示装置１に信号を出力する。
【００３１】
選択された料理が手動料理（ｍａｎｕａｌ　ｃｏｏｋｉｎｇ）である場合は、マイクロコンピュータ７はユーザにより入力される信号に相当する値を表示装置１が表示するように表示装置１に信号を出力し、上記の選択した手動料理が行われ得るように、必要な駆動装置を駆動させるための制御信号を印加する。そして、料理が始まった後には、現在進行している料理状態に従うデータを表示装置１に表示させる。
【００３２】
上記のような電子レンジの料理動作に従う制御は一般的な制御動作と同様に行われる。
次に、電子レンジでラジオ機能を遂行する動作について説明する。
【００３３】
電源回路４を通じて電子レンジの内部に電源が供給されている状態で、ユーザが電子レンジでラジオ機能を行うようにしようとするとき、ダイアル入力回路３又はキー入力回路５を用いて受信したいラジオチャネルを選択する。この選択されたラジオチャネルについての情報はマイクロコンピュータ７に供給される。
【００３４】
マイクロコンピュータ７は、上記の情報からラジオ機能の遂行要求や、ユーザが所望するラジオチャネルを認識する。その認識の結果に応じて、マイクロコンピュータ７はラジオ聴取のための制御信号をＰＬＬ回路２０に出力する。
即ち、マイクロコンピュータ７は、ラジオ付き電子レンジがオンされ、ラジオ機能が最初に選択されるとき、以前に格納されてからアップロードされたチャネル情報からチューニングされるべきラジオチャネルの周波数を認識する。
【００３５】
マイクロコンピュータ７は、上記の認識したラジオチャネルの中心周波数（ｃｅｎｔｅｒ　ｆｒｅｑｕｅｎｃｙ）を作るためのＰＬＬデータをディバイダ１３に出力し、また、基準周波数発振器９に動作信号を出力する。電子レンジ駆動用モジュール１０は、上記のチャネル情報を格納するためにＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ　Ｏｎｌｙ　Ｍｅｍｏｒｙ）を更に含んで構成されている。
【００３６】
ディバイダ１３は、電圧調整部１９からフィードバックされて入力される周波数を分割して位相比較器１１に与える。基準周波数発振器９は基準周波数を発生し、それを位相比較器１１に出力する。
【００３７】
位相比較器１１は、ディバイダ１３により分割された周波数の信号と基準周波数発振器９から生成された基準周波数の信号とを入力され、両周波数の信号の位相を比較する。
ローパスフィルタ１７は上記の両周波数の信号の位相差に相当する直流電圧を生成して電圧調整部１９に供給する。
【００３８】
電圧調整部１９は、ローパスフィルタ１７から出力された直流電圧に従った発振周波数（ｆ０）、即ち、マイクロコンピュータ７のチューニングデータにより決定された発振周波数（ｆ０）をミクサ２３に与える。
ミクサ２３は、アンテナ２１を通じて受信されたラジオ信号と上記の発振周波数（ｆ０）とをミキシングし、このときに得られた中間周波数（ＩＦ）をラジオ受信部３０に出力する。
ラジオ受信部３０内の中間周波回路２５は、入力される受信信号から所望の帯域の信号のみを増幅して出力する。
【００３９】
中間周波回路２５から出力される信号は、ユニバーサルカウンタ１５に入力され、ユニバーサルカウンタ１５はこの入力信号を数値化してマイクロコンピュータ７に供給する。
マイクロコンピュータ７は、ユニバーサルカウンタ１５の出力信号を表示装置１に表示させる。従って、ユーザは表示装置１に表示される信号により選択されたチャネルの周波数を確認することが可能となる。
【００４０】
中間周波回路２５から出力される中間周波数信号（ＳＤ）はマイクロコンピュータ７に直接入力される。マイクロコンピュータ７は、上記の入力された信号の周波数が、ユーザが選局したチャネルの周波数と一致しているかどうかを確認する。もし、ユーザが選局したチャネルの周波数と中間周波回路２５から直接入力される信号（ＳＤ）とが異なる場合は、マイクロコンピュータ７は上記の両周波数を一致させるためにＰＬＬ回路２０によるチューニング動作が繰り返して行われるようＰＬＬ回路２０を制御する。
【００４１】
マイクロコンピュータ７は、マルチプレクサ回路２７から直接入力される信号（ＳＴ）と、中間周波回路２５から直接入力される信号（ＳＤ）とを比較して、両信号が同一であることを再確認する過程を行う。
【００４２】
上記のような過程でラジオチャネルの選局が完了すると、表示装置１はユニバーサルカウンタ１５によりカウントされたユーザ選択ラジオチャネル周波数を表示する。
中間周波回路２５から出力される信号はユーザが選局したラジオチャネルに従う信号となる。従って、マルチプレクサ回路２７は中間周波回路２５の出力信号をステレオ音声に変換し、スピーカ２９を介して出力する。
【００４３】
図３は本発明による電子レンジに備えられた各種のキーボタンを示す。
図３を参照すると、ボリューム調整のためのボリュームキー２１２と、周波数の帯域を微細に調節するためのチューニングキー２１０と、周波数の帯域を大まかに調節するための帯域キー２０４と、後述する周波数の選択情報を格納するためのメモリキー２０８と、ラジオ機能の初期化時にＥＥＰＲＯＭ６からアップロードされる周波数選択情報（例えば、選択された回数に従う周波数リスト、ユーザにより既設定された所定の個数の周波数リスト、又は最後に選択された周波数に対する情報）に基づき、所望の周波数を選択するためのプリセットキー２０６と、ラジオ聴取のためのオン／オフキー２０２などを備える。そして、参照番号１は表示装置を示している。その他にも電子レンジの料理のための各種のキーボタンが備えられている。
【００４４】
図４は本発明による電子レンジでラジオ周波数をＥＥＰＲＯＭに格納するための過程のフローチャートを示している。
図２に示すように、本発明では選局した周波数を次の選局時に用いられるように格納するＥＥＰＲＯＭ６を備えている。ＥＥＰＲＯＭ６はマイクロコンピュータ７の制御を受け、選局された周波数を格納する。
即ち、図４に示すように、ユーザがラジオを聴取しようとする時、ラジオオン／オフボタン２０２を選択する（Ｓ３００）。
オン／オフボタン２０２に相当する特定の信号がマイクロコンピュータ７に入力される。
【００４５】
マイクロコンピュータ７は、上記の信号によってユーザがラジオ機能を選択したことを認識する。ユーザはチューニングキー２１０を用いて聴取したい放送チャネルの周波数を選択する（Ｓ３１０）。最終の選局が完了した後、ユーザがメモリキー２０８を選択すると（Ｓ３２０，Ｓ３３０）、マイクロコンピュータ７は、上記の選局された周波数をＥＥＰＲＯＭ６に格納させる（Ｓ３４０）。マイクロコンピュータ７は、ＥＥＰＲＯＭ６に格納される周波数を、プリセットを行うための情報に含ませることができる。これは、プリセットキー２０６が選択されるときに、ＥＥＰＲＯＭ６に格納された周波数を読み込むためである。
上記の動作によってユーザは多数個の周波数をマイクロコンピュータ７のプリセット機能によってＥＥＰＲＯＭ６に格納することができる。
【００４６】
図５は本発明による電子レンジでＥＥＰＲＯＭに格納された周波数を用いてラジオ信号を受信する過程のフローチャートを示す。
【００４７】
図５に示すように、ユーザは電子レンジを用いてラジオを聴取しようとする時、まず、ラジオオン／オフキー２０２を選択する。その後、ユーザはプリセットキー２０６を選択する（Ｓ４００）。
マイクロコンピュータ７は、上記のＳ４００段階でプリセットキー２０６が選択されると、ユーザがＥＥＰＲＯＭ６に格納された周波数を用いてラジオチャネルの選局を行おうとすることを認識する。従って、マイクロコンピュータ７は、格納されたラジオ周波数に対する情報をＥＥＰＲＯＭ６から読み込む（Ｓ４１０）。上述したように、上記のラジオ周波数に対する情報は、選択された回数に従う周波数リスト、ユーザにより既設定された所定の個数の周波数リスト、又は最後に選択された周波数に対する情報の中の少なくとも一つであり得るし、他の適用も可能である。
【００４８】
マイクロコンピュータ７は、ユーザがプリセットキー２０６を選択するごとにＥＥＰＲＯＭ６に格納された多数個の周波数を表示装置１に順次に及び／又は同時に表示するように制御する（Ｓ４２０）。
【００４９】
マイクロコンピュータ７は本発明によりユーザがラジオ機能を選択した時、多く使われた周波数の順で表示装置１に周波数が表示されるように制御することも可能である。
上記の動作の制御のためにマイクロコンピュータ７は、ＥＥＰＲＯＭ６の特定の部分に各周波数毎に使用された回数を格納し、プリセットキー２０６が選択されると、上記の使用回数の多い順序に該当する周波数を表示装置１に表示するように制御する。
【００５０】
図６は本発明による電子レンジから選択された周波数の選択頻度数をチェックして格納する過程のフローチャートを示す。
図６に示すように、マイクロコンピュータ７は、ユーザがラジオ機能（ラジオオンキー）を選択し（Ｓ５００）、受信したいラジオチャネルの周波数を選定したとき（Ｓ５１０）、ＥＥＰＲＯＭ６の特定の部分に選定された周波数の使用頻度数を格納する制御を行う（Ｓ５２０）。
この様な動作で、使用された周波数の使用頻度数が格納されると、上記のＳ４２０段階でＥＥＰＲＯＭ６に格納された周波数を表示するとき、多く使われた周波数の順序に表示が行われるように制御することが可能である。
【００５１】
図７は本発明による電子レンジでラジオ周波数の利用情報が表示装置に表示されるように制御する過程のフローチャートである。
本発明はラジオオンキー２０２の選択と同時に最も使用回数の多かったラジオ周波数が表示装置１に表示されるように制御することも可能である。この際の過程を図７に示している。
【００５２】
図７に示すように、上記の動作の制御のためにマイクロコンピュータ７は、図６の過程の使用された周波数の使用頻度数を用いる。そして、ラジオオンキー２０２が選択されるのを監視し、ラジオオンキー２０２が選択されると（Ｓ６００）、図６の過程によりＥＥＰＲＯＭ６に格納された使用頻度数に基づいて、使用された周波数の回数が最も多い周波数をＥＥＰＲＯＭ６から読み込み（Ｓ６１０）、それが表示装置１に表示されるように制御する（Ｓ６２０）。
【００５３】
そして、本発明の実施形態で電子レンジの料理モードが動作中の状態ではラジオモジュールの動作は行われないようにすることが好ましい。これは、電子レンジの駆動装置のマグネトロンはマイクロウェーブを発振して料理を行うため、料理動作中にラジオモジュールが動作すると、上記のマグネトロンから発生する高周波ノイズによってラジオ受信が正常に行われることが難しいからである。
【００５４】
従って、電子レンジの使用中に上記のラジオ機能関連キーが選択されると、表示部１にエラーを表示するか、エラー発生による警報音が鳴るように制御することが好ましい。逆に、ラジオ機能の遂行中にも、電子レンジの料理制御のためのボタンが入力されると、まずラジオ機能の停止を命じるメッセージ又は警報音が出力されるように制御することが好ましい。
【００５５】
上述したように、本発明はラジオ聴取機能が備えられた電子レンジで選局されたラジオチャネル周波数に対する情報をＥＥＰＲＯＭ６に格納する。プリセットキー２０６の選択ごとに、ＥＥＰＲＯＭ６に格納されたチャネル周波数に対する情報は表示装置１に順次に及び／又は同時に表示される。従って、ユーザはラジオチャネル周波数を容易に選択することができる。
【００５６】
【発明の効果】
以上で説明した本発明により次のような効果が得られる。
第一に、本発明により電子レンジに料理機能の外にラジオ聴取機能が備えられることにより、電子レンジを用いたラジオ聴取が可能である。従って、別途のラジオの購入に伴う費用の支払いが必要なくなる。
第二に、本発明は電子レンジに備えられた各種の電気的な素子が、料理機能の制御及びラジオ機能の制御に共用されるため、製品内に備えられた電気的な素子の活用度が高くなるという効果が得られる。
第三に、本発明は一つの電子機器を用いて一つ以上の機能を備えるようにしている。従って、このようなマルチ化された電子レンジを消費者に提供することによって、製品に対する満足度を向上させることができる。
【図面の簡単な説明】
【図１】従来技術による電子レンジの構成を示す図である。
【図２】本発明によるラジオ付き電子レンジの構成を示す図である。
【図３】本発明による電子レンジに備えられた各種のキーボタンを示す図である。
【図４】本発明による電子レンジでラジオ周波数をＥＥＰＲＯＭに格納するための過程のフローチャートを示す図である。
【図５】本発明による電子レンジでＥＥＰＲＯＭに格納された周波数を用いてラジオ信号を受信する過程のフローチャートを示す図である。
【図６】本発明による電子レンジで選択された周波数の選択頻度数をチェックして格納する過程のフローチャートを示す図である。
【図７】本発明による電子レンジでラジオ周波数の利用情報が表示装置に表示されるように制御する過程のフローチャートを示す図である。
【符号の説明】
１…表示装置
２…リレー駆動部
３…ダイアル入力回路
４…電源回路
５…キー入力回路
６…ＥＥＰＲＯＭ
７…マイクロコンピュータ
９…基準周波数発振器
１１…位相比較器
１３…ディバイダ
１５…ユニバーサルカウンタ
１７…ローパスフィルタ
１９…電圧調整部
２１…アンテナ
２３…ミクサ
２５…中間周波回路
２７…マルチプレクサ回路
２９…スピーカ
【図１】
2004037069.tif 000003
【図２】
2004037069.tif 000004
【図３】
2004037069.tif 000005
【図４】
2004037069.tif 000006
【図５】
2004037069.tif 000007
【図６】
2004037069.tif 000008
【図７】
2004037069.tif 000009